(57)【特許請求の範囲】
【請求項１】
建物の床に形成された屋内導入部と、この屋内導入部を貫通する配管とを備えた床下配管防蟻構造であって、
前記配管は、配管本体とこの配管本体を覆う保温材とで構成され、
前記配管が貫通する前記屋内導入部の挿通孔を塞ぐ防蟻カプラと、
前記防蟻カプラよりも床から下側に離れた位置で前記配管に装着されて、前記保温材の表面全周を締付ける蟻返しバンドとを備え、
前記防蟻カプラは、前記保温材の表面全周に装着される本体と、前記本体の屋内側に設けられ前記配管と交差方向に広がり前記挿通孔の屋外側を塞ぐフランジ部と、前記フランジ部の周縁に屋外側に突出して形成された折り返し部とを備えていることを特徴とする床下配管防蟻構造。
【請求項２】
請求項１に記載の床下配管防蟻構造において、前記蟻返しバンドは前記保温材の表面全周を締付ける締付け部と、前記締付け部を締付け状態で保持する保持部を備えていることを特徴とする床下配管防蟻構造。
【請求項３】
請求項２に記載の床下配管防蟻構造において、前記締付け部は可撓性を有することを特徴とする床下配管防蟻構造。
【請求項４】
請求項２または３に記載の床下配管防蟻構造において、前記締付け部は帯状であって、その基端側に前記保持部が設けられ、前記締付け部の先端部分が前記保持部に保持されていることを特徴とする床下配管防蟻構造。
【請求項５】
請求項２から４のいずれかに記載の床下配管防蟻構造において、前記締付け部の先端部分には複数の溝がその長手方向に一定間隔で設けられるとともに、前記保持部は筒状に形成され、その内部に前記溝に係止する爪が設けられていることを特徴とする床下配管防蟻構造。
【発明の詳細な説明】
【０００１】
【発明の属する技術分野】
本発明は、床下配管防蟻構造に関する。例えば、木造住宅の床下配管等に利用できる。
【０００２】
【背景技術】
従来、住宅等の建築物、特に木造建築においては、建物の基礎部分で防蟻処理が行われている。例えば、基礎に乗る土台は防蟻剤で処理され、１階床の下面には全面に亘って防蟻シートが貼られている。これによって、白蟻が基礎部分を登って屋内へ侵入できないようにしている。
【０００３】
屋内への配管は、一般に、基礎内側の地中から立ち上がって１階床を貫通して設置されている。したがって、白蟻は地中を通り抜けて基礎内側の地面に到達し、地面から立上がる配管を登って屋内に侵入する可能性がある。よって、防蟻シートの貫通孔の補修を確実に行う必要があった。
この場合、防蟻シートの貫通部の上側から補修を行うが、専用の粘着テープ等を使用しても、防蟻シートに柔軟性があるため施工が難しく、確実に防蟻処理を行うことが困難であった。
【０００４】
以上のような課題を解決するために、本出願人は先に配管接続構造（実開平5-42362号公報）を提案した。これは、床の配管位置に予め貫通孔を設けて、この貫通孔に配管を挿通させるとともに、この貫通孔と配管との隙間を塞ぐために、防蟻剤が塗布された防蟻キャップを床下に設置する構成である。
【０００５】
【発明が解決しようとする課題】
ところで、配管と床材との隙間から白蟻が侵入するのを防ぐには、上述した配管接続構造で対応できるが、配管が配管本体とこの配管本体を覆う保温材とで構成されている場合、配管を被覆している保温材を押し下げて配管を露出させ、この状態を保持しながら防蟻キャップを取り付けるという煩雑な作業が要求されるという問題が生じる。
【０００６】
本発明の目的は、配管が配管本体と保温材とで構成される構造であっても、簡単な作業で白蟻の侵入を阻止できる床下配管防蟻構造を提供することにある。
【０００７】
【課題を解決するための手段】
本発明者は、配管が配管本体と保温材とで構成される構造の場合、保温材を押し下げない状態、つまり配管本体が保温材に完全に被覆されている状態で、どのようにして白蟻が侵入するかを実験、調査した結果、配管本体と保温材との隙間を通り抜けて白蟻が屋内に侵入することを突き止めた。つまり、白蟻が保温材を食い破って配管本体と保温材との隙間に侵入し、この隙間を通って建物の床を通り抜け、屋内に侵入していたことが判明した。
そこで、本発明の床下配管防蟻構造は、上記目的を達成するため、次の構成を採用する。
本発明を図面を参照して説明すると、請求項１に記載の床下配管防蟻構造は、建物１の床３に形成された屋内導入部２０と、この屋内導入部を貫通する配管１０とを備えた床下配管防蟻構造であって、前記配管は、配管本体１１とこの配管本体を覆う保温材１２とで構成され、前記配管が貫通する前記屋内導入部の挿通孔２０Ａを塞ぐ防蟻カプラ５０と、前記防蟻カプラよりも床から下側に離れた位置で前記配管に装着されて、前記保温材の表面全周を締付ける蟻返しバンド３０とを備え、前記防蟻カプラは、前記保温材の表面全周に装着される本体５１と、前記本体の屋内側に設けられ前記配管と交差方向に広がり前記挿通孔の屋外側を塞ぐフランジ部５２と、前記フランジ部の周縁に屋外側に突出して形成された折り返し部５３とを備えていることを特徴とする。
この発明によれば、保温材の表面全周を締付ける締付け部を含んで蟻返しバンドを構成したので、保温材の表面全周が配管本体に押し付けられ、保温材と配管本体との隙間を封止するから、簡単な作業で白蟻が屋内へ侵入を阻止できる。
また、バンド状であるから取付け容易であり、白蟻が屋内へ侵入するのを容易に防止できる。
【０００８】
請求項２に記載の床下配管防蟻構造は、請求項１に記載の床下配管防蟻構造において、前記蟻返しバンドが前記保温材の表面全周を締付ける締付け部３１と、前記締付け部を締付け状態で保持する保持部３２を備えていることを特徴とする。この発明によれば、保温材の表面全周を締付ける締付け部と、締付け部を締付け状態で保持する保持部とを含んで蟻返しバンドを構成したので、請求項１に記載した効果に加え、保持部によって締付け状態が長期的に保持されるから、防蟻効果を長期的に発揮できる。つまり、針金等の弾性を利用して保温材を締付けた構造に比べ、防蟻効果を長期的に発揮できる。
【０００９】
請求項３に記載の床下配管防蟻構造は、請求項２に記載の床下配管防蟻構造において、前記締付け部は可撓性を有することを特徴とする。この発明によれば、締付け部は可撓性を有しているから、保温材の形状が異なる場合でも、その形状に対応して保温材の表面全周を均等に締付けることができ、防蟻効果を確実に発揮できる。
【００１０】
請求項４に記載の床下配管防蟻構造は、請求項２または３に記載の床下配管防蟻構造において、前記締付け部は帯状であって、その基端側に前記保持部が設けられ、前記締付け部の先端部分が前記保持部に保持されていることを特徴とする。
この発明によれば、締付け部の先端部分を保持部で保持したので、保温材外周の長さに合わせて締付け部の長さの調整ができるから、保温材の大きさが異なる場合でも、保温材に一定の締付け力を与えることができ、防蟻効果を確実に発揮できる。
また、締付け部を一定幅を有する帯状にしたので、帯の一定幅に亘って均等に保温材の表面全周を締付けるから、より一層確実に防蟻効果を発揮できる。
【００１１】
請求項５に記載の床下配管防蟻構造は、請求項２から４のいずれかに記載の床下配管防蟻構造において、前記締付け部の先端部分には複数の溝３１Ａがその長手方向に一定間隔で設けられるとともに、前記保持部は筒状に形成され、その内部に前記溝に係止する爪３２Ａが設けられていることを特徴とする。
この発明によれば、締付け部の先端部分に複数の溝をその長手方向に一定間隔に設け、保持部を筒状に形成してその内部に溝に係止する爪を設けたので、締付け部の先端を保持部に対して挿入していくと、その挿入位置で締付け部の溝に保持部の爪が自動的に係止されて外れることがないから、蟻返しバンドを容易に取り付けることができる。
また、溝を一定間隔に設けたので、締付け力の微調整が可能であり、確実に防蟻効果を発揮できる。
【００１４】
【発明の実施の形態】
以下、本発明の一実施形態を図面に基づいて説明する。
図１には、本実施形態における建物としての木造建物１が示されている。
木造建物１は、布基礎２と、この布基礎２の上に設置された床としての床構造３と、床構造３に形成された床下配管防蟻構造５と、床構造３の上に設置された壁等の躯体４とを備えている。
【００１５】
床下配管防蟻構造５は、床構造３に形成された屋内導入部２０と、屋内導入部２０を貫通して屋外から屋内へと繋がる配管１０と、この配管１０と屋内導入部２０との隙間を塞ぐ防蟻カプラ５０と、この防蟻カプラ５０より屋外側の配管１０に装着された蟻返しバンド３０を備えている。
ここで、屋内とは、壁等の躯体４と床構造３とで囲まれて形成された空間であって、例えば、キッチン、トイレ、洗面所等の配管を必要とする部屋であるが、部屋に限らず上階へのパイプスペース等でもよい。
【００１６】
床構造３は、図２に示すように、床材１７と、この床材１７の下面に全面に亘って貼り付けられた防蟻シート１９とを含んで構成されている。なお、床材１７は、複数の芯材の上下に合板を設置したパネル工法の床パネル材であるが、床パネル材に限らず、在来工法の床材等でもよい。また、防蟻シート１９に代えて、床材１７に防蟻剤を塗布して防蟻処理をしてもよい。
【００１７】
屋内導入部２０は、床材１７および防蟻シート１９に形成されて配管１０の外径より大きい内径を有する挿通孔２０Ａを備えている。
【００１８】
配管１０は、配管本体１１とこの配管本体１１を全体に亘って覆う保温材１２とで構成され、布基礎２の内側の地中から立ち上がって屋内導入部２０を貫通している。なお、配管本体１１は銅管であるが、銅管に限らず、鉄管、鉛管、鋳鉄管等でもよい。また、保温材１２は、グラスウール製に限らず、その他の材料で形成してもよい。
【００１９】
防蟻カプラ５０は、全体がポリエチレン樹脂で一体成形され、配管１０保温材１２の表面全周に装着される円筒形状の本体５１と、この本体５１の上端に設けられ配管１０と交差方向に広がるフランジ部５２と、フランジ部５２の周縁にフランジ部５２の下側に突出して形成された折り返し部５３とを備えている。
フランジ部５２は、環状であって、その上面は防蟻シート１９に当接して挿通孔２０Ａを塞いでいる。
【００２０】
蟻返しバンド３０は、図３に示すように、防蟻カプラ５０の下端近傍に設けられ、帯状の締付け部３１と、この締付け部３１の基端側に設けられた保持部３２とを備えている。
締付け部３１は、合成樹脂で形成されて可撓性を有し、その先端部分にはＶ字状の複数の溝３１Ａがその長手方向に一定間隔で設けられている。保持部３２は、四角筒状に形成されて、その内部に爪３２Ａが設けられている。
そして、図４(Ａ)および(Ｂ)に示すように、締付け部３１は、配管１０に装着され、配管本体１１を覆う保温材１２の表面全周を締付けており、締付け部３１の溝３１Ａが保持部３２の爪３２Ａに係止することによって、保持部３２が締付け部３１を締付け状態で保持している。
【００２１】
本実施形態の施工方法は、以下のようになる。
先ず、鉄筋コンクリート造の布基礎２を施工し、この布基礎２の内側で配管本体１１を鉛直方向に立ち上げる。
そして、配管本体１１を保温材１２で覆って配管１０を形成し、防蟻カプラ５０を配管１０の保温材１２外周に装着する。このとき、防蟻カプラ５０が床構造３の屋内導入部２０の下端に位置するように調整する。
その後、防蟻カプラ５０の下端近傍の配管１０に蟻返しバンド３０を装着する。
具体的には、配管１０の保温材１２の外周に蟻返しバンド３０の締付け部３１を巻いて、締付け部３１の先端を保持部３２に挿入する。そして、締付け部３１の先端を引っ張ると、締付け部３１の内径が小さくなって行き、保温材１２に所定の締付け力が得られる。そして、手を離すと、保持部３２の爪３２Ａが、締付け部３１の溝３１Ａに自動的に係止し、挿入位置から外れないようになる。
そして、この防蟻カプラ５０が装着された配管１０を床材１７の挿通孔２０Ａに挿通するとともに、床材１７を布基礎２上に設置する。
【００２２】
このような構成であるから、白蟻が保温材１２を食い破って配管本体１１と保温材１２との間に侵入し、この隙間を通って配管を登っても、保温材１２は蟻返しバンド３０によって締付けられているので、蟻返しバンド３０が装着された部分で隙間が封止され、白蟻が配管本体１１と保温材１２との間を通り抜けて屋内に到達することない。
また、白蟻が保温材１２の表面を伝って登ってきても、保温材１２の表面全周に防蟻カプラ５０の本体５１が装着されているから、保温材１２と本体５１との間を通り抜けて屋内に到達することがない。また、白蟻がフランジ部５２および折り返し部５３を伝って通り抜けようとしても、フランジ部５２が配管１０と交差方向に広がっており、かつ折り返し部５３がフランジ部５２よりさらに突出しているから、白蟻が自らの体重を支持できずに落下するので、白蟻が保温材１２の表面を伝って屋内に到達することがない。
【００２３】
したがって、本実施形態によれば以下の効果がある。
（１）保温材１２の表面全周を締付ける締付け部３１と、締付け部３１を締付け状態で保持する保持部３２とを含んで蟻返しバンド３０を構成したので、保温材１２の表面全周が配管本体１１に押し付けられ、保温材１２と配管本体１１との隙間を封止するから、簡単な作業で白蟻が屋内へ侵入を阻止できる。
また、バンド状であるから取付け容易であり、白蟻が屋内へ侵入するのを容易に防止できる。
また、保持部３２によって締付け状態が長期的に保持されるから、防蟻効果を長期的に発揮できる。
【００２４】
（２）締付け部３１は可撓性を有しているから、保温材１２の形状が異なる場合でも、その形状に対応して保温材１２の表面全周を均等に締付けることができ、防蟻効果を確実に発揮できる。
【００２５】
（３）締付け部３１の先端部分を保持部３２で保持したので、保温材１２外周の長さに合わせて締付け部３１の長さの調整ができるから、保温材１２の大きさが異なる場合でも、保温材１２に一定の締付け力を与えることができ、防蟻効果を確実に発揮できる。
また、締付け部３１を一定幅を有する帯状にしたので、帯の一定幅に亘って均等に保温材１２の表面全周を締付けるから、より一層確実に防蟻効果を発揮できる。
【００２６】
（４）締付け部３１の先端部分に複数の溝３１Ａをその長手方向に一定間隔に設け、保持部３２を筒状に形成してその内部に溝３１Ａに係止する爪３２Ａを設けたので、締付け部３１の先端を保持部３２に対して挿入していくと、その挿入位置で締付け部３１の溝３１Ａに保持部３２の爪３２Ａが自動的に係止されて外れることがないから、蟻返しバンド３０を容易に取り付けることができる。
また、溝３１Ａを一定間隔に設けたので、締付け力の微調整が可能であり、確実に防蟻効果を発揮できる。
【００２７】
なお、本発明は前記実施形態に限定されるものではなく、本発明の目的を達成できる範囲での変形、改良等は本発明に含まれるものである。
例えば、前記実施形態では、配管１０の防蟻カプラ５０より屋外側に蟻返しバンド３０を設置したが、床構造３より屋内に露出した配管１０に蟻返しバンド３０を設置してもよい。
このようにしても、前記実施形態で述べた効果に加え、以下のような効果がある。
（５）屋内に露出する保温材１２に蟻返しバンド３０を設けたので、木造建物１の床構造３の設置後にこの床構造３の上から蟻返しバンド３０の施工ができるので施工容易であり、また、施工後の防蟻処理状況を確認できるので管理が容易になる。
【００２８】
また、前記実施形態では、合成樹脂で蟻返しバンド３０を形成したが、鉄、アルミ等その他の材料で形成してもよい。
【００２９】
また、前記実施形態では、保温材１２で配管本体１１を全体に亘って覆ったが、防蟻カプラ５０を配管本体１１の表面全周に装着し、保温材１２を屋外から防蟻カプラ５０のフランジ部５２に当接するまで延ばしてもよい。
【００３０】
【発明の効果】
本発明の床下配管防蟻構造によれば、次のような効果が得られる。請求項１に記載の床下配管防蟻構造によれば、保温材の表面全周を締付ける締付け部を含んで蟻返しバンドを構成したので、保温材の表面全周が配管本体に押し付けられ、保温材と配管本体との隙間を封止するから、簡単な作業で白蟻が屋内へ侵入を阻止できる。
また、バンド状であるから取付け容易であり、白蟻が屋内へ侵入するのを容易に防止できる。
【００３１】
請求項２に記載の床下配管防蟻構造によれば、保温材の表面全周を締付ける締付け部と、締付け部を締付け状態で保持する保持部とを含んで蟻返しバンドを構成したので、請求項１に記載した効果に加え、保持部によって締付け状態が長期的に保持されるから、防蟻効果を長期的に発揮できる。
【００３２】
請求項３に記載の床下配管防蟻構造によれば、締付け部は可撓性を有しているから、保温材の形状が異なる場合でも、その形状に対応して保温材の表面全周を均等に締付けることができ、防蟻効果を確実に発揮できる。
【００３３】
請求項４に記載の床下配管防蟻構造によれば、締付け部の先端部分を保持部で保持したので、保温材外周の長さに合わせて締付け部の長さの調整ができるから、保温材の大きさが異なる場合でも、保温材に一定の締付け力を与えることができ、防蟻効果を確実に発揮できる。
また、締付け部を一定幅を有する帯状にしたので、帯の一定幅に亘って均等に保温材の表面全周を締付けるから、より一層確実に防蟻効果を発揮できる。
【００３４】
請求項５に記載の床下配管防蟻構造によれば、締付け部の先端部分に複数の溝をその長手方向に一定間隔に設け、保持部を筒状に形成してその内部に溝に係止する爪を設けたので、締付け部の先端を保持部に対して挿入していくと、その挿入位置で締付け部の溝に保持部の爪が自動的に係止されて外れることがないから、蟻返しバンドを容易に取り付けることができる。
また、溝を一定間隔に設けたので、締付け力の微調整が可能であり、確実に防蟻効果を発揮できる。
【図面の簡単な説明】
【図１】本発明の一実施形態に係る床下配管防蟻構造を示す全体断面図である。
【図２】前記実施形態に係る床下配管防蟻構造の拡大断面図である。
【図３】前記実施形態に係る蟻返しバンドの全体斜視図である。
【図４】前記実施形態に係る蟻返しバンドの取り付け方法を説明するための図である。
【符号の説明】
１      建物としての木造建物
３      床としての床構造
５      床下配管防蟻構造
１０      配管
１１      配管本体
１２      保温材
２０      屋内導入部
３０      蟻返しバンド
３１      締付け部
３１Ａ    溝
３２      保持部
３２Ａ    爪
【図１】
0004702990.tif 000002
【図２】
0004702990.tif 000003
【図３】
0004702990.tif 000004
【図４】
0004702990.tif 000005